【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】  圧縮機、室外熱交換器、第１の減圧装置、第１の室内熱交換器、第２の減圧装置、及び第２の室内熱交換器を順次配管で接続して冷媒を循環させ、前記第１の室内熱交換器を凝縮器、前記第２の室内熱交換器を蒸発器として機能させて、室内吸込み空気を前記第２の室内熱交換器で冷却除湿、前記第１の室内熱交換器で加熱し、これらを混合して吹出口から吹出す空気調和機の再熱除湿運転において、制御手段が、前記吹出口から吹出す吹出空気の温度が前記室内吸込み空気の露点温度以上となるように前記室外熱交換器の凝縮容量を変化させる前記室外熱交換器の送風機の回転数を制御することを特徴とする空気調和機。
【請求項２】  圧縮機、室外熱交換器、第１の減圧装置、第１の室内熱交換器、第２の減圧装置、及び第２の室内熱交換器を順次配管で接続して冷媒を循環させ、前記第１の室内熱交換器を凝縮器、前記第２の室内熱交換器を蒸発器として機能させて、室内吸込み空気を前記第２の室内熱交換器で冷却除湿、前記第１の室内熱交換器で加熱し、これらを混合して吹出口から吹出す空気調和機の再熱除湿運転において、制御手段が、前記吹出口から吹出す吹出空気の温度が前記室内吸込み空気の露点温度以上となるように前記冷媒の循環量を変化させる前記第１の減圧装置の絞り量を制御することを特徴とする空気調和機。
【請求項３】  圧縮機、室外熱交換器、第１の減圧装置、第１の室内熱交換器、第２の減圧装置、及び第２の室内熱交換器を順次配管で接続して冷媒を循環させ、前記第１の室内熱交換器を凝縮器、前記第２の室内熱交換器を蒸発器として機能させて、室内吸込み空気を前記第２の室内熱交換器で冷却除湿、前記第１の室内熱交換器で加熱し、これらを混合して吹出口から吹出す空気調和機の再熱除湿運転において、制御手段が、前記吹出口から吹出す吹出空気の温度が前記室内吸込み空気の露点温度以上となるように前記第２の室内熱交換器の蒸発温度を変化させる前記第２の減圧装置の絞り量を制御することを特徴とする空気調和機。
【請求項４】  前記制御手段が、前記吹出空気の温度が前記室内吸込み空気の露点温度以上かを判断する時、前記吹出空気の乾球温度と前記室内吸込み空気の露点温度とを比較して判断することを特徴とする請求項１から３までのいずれかに記載の空気調和機。
【請求項５】  前記制御手段が、前記吹出空気の温度が前記室内吸込み空気の露点温度以上かを判断する時、外気温度と前記吸込み空気の露点温度とを比較して判断することを特徴とする請求項１から３までのいずれかに記載の空気調和機。
【請求項６】  前記制御手段が、前記吹出空気の温度が前記室内吸込み空気の露点温度以上かを判断する時、前記第１の室内熱交換器の温度と前記第２の室内熱交換器の温度から、前記第１の室内熱交換器と前記第２の室内熱交換器との風量比により前記吹出空気の乾球温度を求め、この求めた乾球温度と前記室内吸込み空気の露点温度とを比較して判断することを特徴とする請求項１から３までのいずれかに記載の空気調和機。
【請求項７】  前記制御手段が、この制御手段の前記室外熱交換器側に位置する室外制御部の制御機器の温度もしくは外気温度が所定温度以上の時、前記室外熱交換器の送風機の回転数を低下させないように制御することを特徴とする請求項１に記載の空気調和機。
【手続補正２】
【補正対象書類名】明細書
【補正対象項目名】００１０
【補正方法】変更
【補正の内容】
【００１０】
【課題を解決するための手段】
この発明の空気調和機は、圧縮機、室外熱交換器、第１の減圧装置、第１の室内熱交換器、第２の減圧装置、及び第２の室内熱交換器を順次配管で接続して冷媒を循環させ、第１の室内熱交換器を凝縮器、第２の室内熱交換器を蒸発器として機能させて、室内吸込み空気を第２の室内熱交換器で冷却除湿、第１の室内熱交換器で加熱し、これらを混合して吹出口から吹出す空気調和機の再熱除湿運転において、制御手段が、吹出口から吹出す吹出空気の温度が室内吸込み空気の露点温度以上となるように室外熱交換器の凝縮容量を変化させる室外熱交換器の送風機の回転数を制御するものである。
【手続補正３】
【補正対象書類名】明細書
【補正対象項目名】００１１
【補正方法】変更
【補正の内容】
【００１１】
また、圧縮機、室外熱交換器、第１の減圧装置、第１の室内熱交換器、第２の減圧装置、及び第２の室内熱交換器を順次配管で接続して冷媒を循環させ、第１の室内熱交換器を凝縮器、第２の室内熱交換器を蒸発器として機能させて、室内吸込み空気を第２の室内熱交換器で冷却除湿、第１の室内熱交換器で加熱し、これらを混合して吹出口から吹出す空気調和機の再熱除湿運転において、制御手段が、吹出口から吹出す吹出空気の温度が室内吸込み空気の露点温度以上となるように冷媒の循環量を変化させる第１の減圧装置の絞り量を制御するものである。
【手続補正４】
【補正対象書類名】明細書
【補正対象項目名】００１２
【補正方法】変更
【補正の内容】
【００１２】
また、圧縮機、室外熱交換器、第１の減圧装置、第１の室内熱交換器、第２の減圧装置、及び第２の室内熱交換器を順次配管で接続して冷媒を循環させ、第１の室内熱交換器を凝縮器、第２の室内熱交換器を蒸発器として機能させて、室内吸込み空気を第２の室内熱交換器で冷却除湿、第１の室内熱交換器で加熱し、これらを混合して吹出口から吹出す空気調和機の再熱除湿運転において、制御手段が、吹出口から吹出す吹出空気の温度が室内吸込み空気の露点温度以上となるように第２の室内熱交換器の蒸発温度を変化させる第２の減圧装置の絞り量を制御するものである。
【手続補正５】
【補正対象書類名】明細書
【補正対象項目名】００１３
【補正方法】変更
【補正の内容】
【００１３】
また、制御手段が、吹出空気の温度が室内吸込み空気の露点温度以上かを判断する時、吹出空気の乾球温度と室内吸込み空気の露点温度とを比較して判断するものである。
【手続補正６】
【補正対象書類名】明細書
【補正対象項目名】００１４
【補正方法】変更
【補正の内容】
【００１４】
また、制御手段が、吹出空気の温度が室内吸込み空気の露点温度以上かを判断する時、外気温度と室内吸込み空気の露点温度とを比較して判断するものである。
【手続補正７】
【補正対象書類名】明細書
【補正対象項目名】００１５
【補正方法】変更
【補正の内容】
【００１５】
また、制御手段が、吹出空気の温度が室内吸込み空気の露点温度以上かを判断する時、第１の室内熱交換器の温度と第２の室内熱交換器の温度から、第１の室内熱交換器と第２の室内熱交換器との風量比により吹出空気の乾球温度を求め、この求めた乾球温度と室内吸込み空気の露点温度とを比較して判断するものである。
【手続補正８】
【補正対象書類名】明細書
【補正対象項目名】００１６
【補正方法】変更
【補正の内容】
【００１６】
また、制御手段が、この制御手段の室外熱交換器側に位置する室外制御部の制御機器の温度もしくは外気温度が所定温度以上の時、室外熱交換器の送風機の回転数を低下させないように制御するものである。
【手続補正９】
【補正対象書類名】明細書
【補正対象項目名】００５２
【補正方法】変更
【補正の内容】
【００５２】
【発明の効果】
以上説明したように、この発明の空気調和機においては、圧縮機、室外熱交換器、第１の減圧装置、第１の室内熱交換器、第２の減圧装置、及び第２の室内熱交換器を順次配管で接続して冷媒を循環させ、第１の室内熱交換器を凝縮器、第２の室内熱交換器を蒸発器として機能させて、室内吸込み空気を第２の室内熱交換器で冷却除湿、第１の室内熱交換器で加熱し、これらを混合して吹出口から吹出す空気調和機の再熱除湿運転において、制御手段が、吹出口から吹出す吹出空気の温度が室内吸込み空気の露点温度以上となるように室外熱交換器の凝縮容量を変化させる室外熱交換器の送風機の回転数を制御するので、吹出側の結露を防止しながら室内空気の湿度を下げるようになるため、室内へ水滴を飛散させることなく快適な湿度にする信頼性の高い空気調和機が得られる。
【手続補正１０】
【補正対象書類名】明細書
【補正対象項目名】００５３
【補正方法】変更
【補正の内容】
【００５３】
また、制御手段が、吹出口から吹出す吹出空気の温度が室内吸込み空気の露点温度以上となるように冷媒の循環量を変化させる第１の減圧装置の絞り量を制御するので、特に、室外熱交換器の送風機である室外ファンの冷却効果を維持しながら、吹出側の結露を防止して室内空気の湿度を下げるようになるため、室内へ水滴を飛散させることなく快適な湿度にする信頼性の高い空気調和機が得られる。
【手続補正１１】
【補正対象書類名】明細書
【補正対象項目名】００５４
【補正方法】変更
【補正の内容】
【００５４】
また、制御手段が、吹出口から吹出す吹出空気の温度が室内吸込み空気の露点温度以上となるように第２の室内熱交換器の蒸発温度を変化させる第２の減圧装置の絞り量を制御するので、特に、室内機側の制御信号のやりとりだけで、吹出側の結露を防止しながら室内空気の湿度を下げるようになるため、簡単なやりとりで、室内へ水滴を飛散させることなく快適な湿度にする信頼性の高い空気調和機が得られる。
【手続補正１２】
【補正対象書類名】明細書
【補正対象項目名】００５５
【補正方法】変更
【補正の内容】
【００５５】
また、制御手段が、吹出空気の温度が室内吸込み空気の露点温度以上かを判断する時、吹出空気の乾球温度と室内吸込み空気の露点温度とを比較して判断するので、室内機側の温度信号だけで簡単に制御できるようになるため、結露防止制御が容易な空気調和機が得られる。
【手続補正１３】
【補正対象書類名】明細書
【補正対象項目名】００５６
【補正方法】変更
【補正の内容】
【００５６】
また、制御手段が、吹出空気の温度が室内吸込み空気の露点温度以上かを判断する時、外気温度と室内吸込み空気の露点温度とを比較して判断するので、吹出側の結露有無に直接影響する因子で制御できるようになるため、スピーディに確実に結露防止制御する信頼性の高い空気調和機が得られる。
【手続補正１４】
【補正対象書類名】明細書
【補正対象項目名】００５７
【補正方法】変更
【補正の内容】
【００５７】
また、制御手段が、吹出空気の温度が室内吸込み空気の露点温度以上かを判断する時、第１の室内熱交換器の温度と第２の室内熱交換器の温度から、第１の室内熱交換器と第２の室内熱交換器との風量比により吹出空気の乾球温度を求め、この求めた乾球温度と室内吸込み空気の露点温度とを比較して判断するので、結露を防止する加熱量と冷却量との関係を直接見ながら制御するため、更に確実に結露を防止制御できる信頼性の高い空気調和機が得られる。
【手続補正１５】
【補正対象書類名】明細書
【補正対象項目名】００５８
【補正方法】変更
【補正の内容】
【００５８】
また、制御手段が、この制御手段の室外熱交換器側に位置する室外制御部の制御機器の温度もしくは外気温度が所定温度以上の時、室外熱交換器の送風機の回転数を低下させないように制御するので、室外熱交換器の送風機である室外ファンの回転数低下に起因して発生する動作不良や故障といったトラブルを防止した信頼性の高い空気調和機が得られる。